(57)【要約】【課題】  プレプリント用紙に印刷されるべき部番の抜けを防止する。【解決手段】  プレプリント用紙選択時に部番印刷を指定された場合には白紙節約機能を無効にする。【選択図】  図１
2008112392.tif 000002
【特許請求の範囲】
【請求項１】
部番印刷機能を持つ画像処理装置において、
部番印刷指定時に白紙節約指定がされている場合、印刷用紙がプレプリント用紙である時に白紙節約機能を無効にする手段を有する画像処理システム。
【請求項２】
部番印刷機能を持つ画像処理装置において、
部番印刷指定時に白紙節約指定がされている場合、オーバーレイ指定がされている時には白紙節約を無効にする手段を有する画像処理システム。
【発明の詳細な説明】
【技術分野】
【０００１】
画像処理システム。
【背景技術】
【０００２】
従来、部番印刷を行う際でも白紙節約が指定されているときには白紙ページを印刷せず処理を行っていた。
【０００３】
従来例としては、例えば特許文献１をあげることが出来る。
【特許文献１】特開２００４−１９２３９５号公報
【発明の開示】
【発明が解決しようとする課題】
【０００４】
しかしながら部番印刷をする際印刷データが白紙データであってもその部番に対応する印刷内容が白紙であることに意味がある場合がある。例えば何らかのアンケートや申請データを印刷する際に部番番号と回答者や申請者が一対一対応している場合、白紙の印字データにも意味があり白紙節約を行うと部番にずれができ問題となる。プレプリント用紙などは白紙である。
【課題を解決するための手段】
【０００５】
上記のような場合、通常印刷データはなくともオーバーレイが設定されている場合やプレプリント用紙(あらかじめ何らかの印刷が施されている用紙)が指定されている場合が多い。また、プレプリント用紙は印字方向や用紙の搬送方向などに制限があるため明示的にプレプリント用紙であることが指定されている。通常は画像処理装置の操作パネルか印字データ内で指定が行われている。本発明においてはプレプリント用紙の使用の指定時やオーバーレイ設定時には通常時に白紙節約を行っている場合でも白紙節約の指定を解除すること無しに自動的に白紙節約を無効にすることで部番のずれをなくす。
【発明の効果】
【０００６】
本発明によれば、白紙節約を明示的に無効にしなくても部番印刷時にプレプリント用紙指定やオーバーレイ指定がなされている場合には自動的に白紙節約が無視され部番の抜けを防止する事ができる。
【発明を実施するための最良の形態】
【０００７】
（実施例1）
図１は、本発明を適用したプリンタ機能、コピー機能、ファクシミリ機能を有する複合印刷装置（以下、ＭＦＰ：Ｍｕｌｔｉ  Ｆｕｎｃｔｉｏｎ  Ｐｒｏｄｕｃｔという）の内部構造を示す断面図である。
【０００８】
図１において、１００はＭＦＰであり、ネットワークを介して印字データを受取り印刷するネットワークプリンタとして使用することができる。また、ＭＦＰ１００は、電話回線にも接続されており、ファクシミリ装置としても使用でき、更に、単体でもコピー機として使用することができる。
【０００９】
１２１は、操作パネルであり、操作のためのスイッチ、及びＭＦＰ１００の状態等を表示する液晶タッチパネルで構成されている。１０１は、ＭＦＰ１００を統御する制御ユニットである。
【００１０】
レーザ・ドライバ５０２は、半導体レーザ発振器５０３を駆動するための回路であり、入力されたビデオ信号に応じて半導体レーザ発振器５０３から発射すべきレーザビーム５０４をオン・オフ切替する。レーザビーム５０４は、回転多面鏡５０５で左右方向に振られて静電ドラム５０６上を走査することにより、静電ドラム５０６上に静電潜像を形成する。この静電潜像は、静電ドラム５０６の周囲に配備された現像ユニット（トナーカートリッジ）５０７によって現像された後、記録用紙に転写される。
【００１１】
この記録用紙としては、カット・シートを用い、カット・シートは、ＭＦＰ１００に装着した給紙カセット１０８、１０９、１１０及び１１１に収納され、給紙ローラ１１３，１１４，１１５，及び１１６により装置内に取込まれ、用紙搬送ローラ１１２によって用紙搬送ベルト１１７に乗せられて像形成・現像機構を通過する。
【００１２】
記録用紙に転写されたトナー（粉末インク）は、定着器１１８で熱と圧力により記録用紙に定着される。このトナー定着がなされた記録用紙は、搬送ローラ１１９，１２０によってＭＦＰ１００の外部に排紙される。
【００１３】
１２２は、スキャナであり、原稿をセットして操作パネル１２１からコピーを指示すると、原稿は原稿台に取込まれてハロゲンランプ（不図示）で露光され、その反射像が撮像される。撮像された像は、Ａ／Ｄ変換されて制御ユニット５０１に送られ、必要な処理を施されてビデオ信号となり、レーザ・ドライバ５０２に入力される。
【００１４】
また、外部ネットワークを通して印刷データが送信されてくると、印字データは制御ユニット５０１内で解析されてビデオ信号となり、レーザ・ドライバ５０２に入力される。
【００１５】
また、電話回線からファクシミリのデータが送信されてくると、それはモデム５２３を経由して制御ユニット５０１に取り込まれ、ビデオ信号に変換されてレーザ・ドライバ５０２に入力される。
【００１６】
図２は、図１に示したＭＦＰ１００の制御ユニット５０１の概略構成を示すブロック図である。
【００１７】
201はコントローラボードの本体を示す。
【００１８】
101はホストコンピュータであり印字データを転送してくる。また、プリンタドライバを内蔵し、PDLまたはコントローラ201がPDLより生成する内部コードを直接印字データとして送信する。
【００１９】
印字データは入力インターフェース部203を介して取り込まれる。
【００２０】
操作パネル121からコピーの実行が指示されるとスキャナ122で読み取られたイメージはスキャナインタフェース部204を介して取り込まれ、ＣＰＵ202で必要な処理を施されてドットデータに変換される。
【００２１】
生成されたドットデータは出力インターフェース部209を介して印刷機構本体部104に送られ、実際に印刷される。ここで施される処理とは、例えばスキャナ122の読み取り解像度から印刷機構部104の印刷解像度への変換や、印刷機構部104の用紙の搬送方向に合わせた回転処理などである。
【００２２】
210はエッジ化HWであり、圧縮された画像イメージよりエッジを抽出し、エッジデータを生成するアクセラレータである。通常、専用のハードウェアで構成されASICまたはCPU202とは別のCPUやROM、RAMで構成されたコントローラボードなどである。本特許の請求項第2項のアクセラレータにあたる。
【００２３】
電話回線に接続されたモデム523からファクシミリのデータを受け付けるとそれはＣＰＵ202で処理され、ドットデータに変換される。生成されたドットデータは出力インターフェース部209を介して印刷機構本体部104に送られ、実際に印刷される。ここで行なわれる処理とは例えばハフマン圧縮された印字データの伸長などである。
【００２４】
ＣＰＵ202によるこれら一連の処理の処理手順は全てＲＯＭ206内にプログラムされており、このプログラムに従ってＣＰＵ202は動作する。
【００２５】
本実施例では変換された画像イメージはRAM208に格納される。蓄えられた画像イメージは出力インターフェース部209を通して印刷機構本体部104に送られ、実際に印刷される。
【００２６】
また、ホストコンピュータ101やスキャナ122、及びモデム523からのデータはＲＡＭ208上に蓄えられて必要な処理が施される。
【００２７】
205は一般のＥＥＰＲＯＭ等で構成する不揮発性メモリであり、以後ＮＶＲＡＭ(Non Volatile RAM)と称す。ＮＶＲＡＭ205には操作パネル121で指定されたパネル設定値が記憶される。
【００２８】
図3は本発明における請求項第1項の各手段を有する画像処理装置の動作を説明するフローチャートであり、印刷時に於けるコントローラボード201の動作を説明したものである。
【００２９】
印刷データを受信する。（S301）
印刷データの解析を行う。(S302)
部番印刷が指定されているか判定を行う。(S303)
部番印刷が指定されている場合に白紙節約が設定されているならば(S304)
プレプリント用紙が指定されているかを判断し、（S305）
プレプリント用紙指定がされていれば白紙節約を行わない。（S306）
もしプレプリント用紙指定がされていなければ、白紙節約を行う。(S307)
印字データより中間コードに変換する際に部番を付加し、（S308）
画像イメージを生成する。(S312)
印刷を行う。（S313）
部番印刷を行わないのならば白紙節約を行うかを判断し、(S309)
その設定に従う。（S310）（S311）
画像イメージを生成する。(S312)
印刷を行う。（S313）
図4は本発明における請求項第2項の各手段を有する画像処理装置の動作を説明するフローチャートであり、印刷時に於けるコントローラボード201の動作を説明したものである。
【００３０】
印刷データを受信する。（S401）
印刷データの解析を行う。(S402)
部番印刷が指定されているか判定を行う。(S403)
部番印刷が指定されている場合に白紙節約が設定されているならば(S404)
プレプリント用紙が指定されているかを判断し、（S405）
プレプリント用紙指定がされていれば白紙節約を行わない。（S406）
もしプレプリント用紙指定がされていなければ、白紙節約を行う。(S407)
印字データより中間コードに変換する際に部番を付加し、（S408）
画像イメージを生成する。(S412)
印刷を行う。（S413）
部番印刷を行わないのならば白紙節約を行うかを判断し、(S409)
その設定に従う。（S410）（S411）
画像イメージを生成する。(S412)
印刷を行う。（S413）
図5は本発明における請求項第1項の各手段を有する画像処理装置の動作を説明するフローチャートであり、図3とは別の実現フローを示した一例である。
【００３１】
印刷データを受信する。（S501）
印刷データの解析を行う。(S502)
部番印刷が指定されているか判定を行う。(S503)
プレプリント用紙が指定されているかを判断し、（S504）
プレプリント用紙指定がされていれば白紙節約の設定を印刷中にデータのみ無効にする。（S505）
印字データより中間コードに変換する際に部番を付加し、（S506）
画像イメージを生成する。(S507)
印刷を行う。（S508）
図6は本発明における請求項第2項の各手段を有する画像処理装置の動作を説明するフローチャートであり、図4とは別の実現フローを示した一例である。
【００３２】
印刷データを受信する。（S601）
印刷データの解析を行う。(S602)
部番印刷が指定されているか判定を行う。(S603)
プレプリント用紙が指定されているかを判断し、（S604）
プレプリント用紙指定がされていれば白紙節約の設定を印刷中にデータのみ無効にする。（S605）
印字データより中間コードに変換する際に部番を付加し、（S606）
画像イメージを生成する。(S607)
印刷を行う。（S608）
【図面の簡単な説明】
【００３３】
【図１】本発明を適用したＭＦＰの概略構造を示す断面図である。
【図２】図１に示したＭＦＰの制御ユニットの概略構成を示すブロック図である。
【図３】本発明の第１の実施形態における印刷処理を示すフローチャートである。
【図４】本発明の第1の実施形態における印刷処理を示すフローチャートである。
【図５】本発明の第1の実施形態における印刷処理を示すフローチャートである。
【図６】本発明の第1の実施形態における印刷処理を示すフローチャートである。
【符号の説明】
【００３４】
１００  ＭＦＰ
１０１  ホストコンピュータ
１０４  印刷機構部
１２１  操作パネル
１２２  スキャナ
２０１  コントローラボード
２０２  ＣＰＵ
２０３  入力インタフェース部
２０４  スキャナインターフェイス
２０５  ＮＶＲＡＭ
２０６  ＲＯＭ
２０７  ＲＡＭ
２０９  出力インタフェース部
２１０  エッジ化HW
５２３  モデム
【図１】
2008112392.tif 000003
【図２】
2008112392.tif 000004
【図３】
2008112392.tif 000005
【図４】
2008112392.tif 000006
【図５】
2008112392.tif 000007
【図６】
2008112392.tif 000008